(57)【要約】【課題】球抜きする際、払出装置内にパチンコ球が残らないようにすると共に、効率よく払出装置を構成することができるパチンコ球の払出装置を提供する。【解決手段】供給通路１８ａ，１８ｂの底面と排出通路２１ａ，２１ｂの一側面とにパチンコ球を排出し得る球抜口２６を設け、本体ベース１４に、上端部で回動自在に軸着され球抜口２６を開閉する可動板２７と可動板２７を球抜口２６を閉じる位置に拘束・解除するレバー部材３２とを設け、可動板２７の外側に、重錘としてこれを常に球抜口２６が閉じるように付勢しかつ閉じた位置で可動板２７を拘束するにレバー部材３２と係合する係合レバー２９を設けてなり、可動板２７は、常態では付勢されレバー部材３２が係合レバー２９に係合して球抜口２６を閉じる位置で拘束され、それら係合を外すことにより上面に乗るパチンコ球の重量によって回動し球抜口２６を開放する。【選択図】図６
2008296059.tif 000002
【特許請求の範囲】
【請求項１】
本体ベースに形成されパチンコ球が連続して供給される供給通路と、電気的駆動手段により回転し前記供給通路のパチンコ球を送り出す送出部材と、前記送出部材の回転により払い出されるパチンコ球が排出される排出通路と、を備えたパチンコ球の払出装置において、
前記供給通路は垂直通路部と該垂直通路部を流下したパチンコ球を前記送出部材側へ送る水平通路部とから略Ｌ字型に形成され、
前記送出部材の近傍であって前記水平通路部の底面と前記排出通路の一側面とに球抜通路に連なり前記供給通路内に残留するパチンコ球を総て排出し得る球抜口を設け、
前記本体ベースの側壁に、前記垂直通路部の一側面を塞ぐ上垂直板部と前記水平通路部の底面を塞ぐ水平板部と前記排出通路の一側面を塞ぐ下垂直板部とから略Ｌ字型をなすと共に上端部で軸着され自在に回動して前記球抜口を開閉する可動板と、回動することにより前記可動板を前記球抜口を閉じる位置に拘束または解除するレバー部材と、を設け、
前記可動板における前記上垂直板部の外側に、重錘として前記可動板を常に前記球抜口が閉じる位置にくるように付勢しかつ該球抜口が閉じた位置で前記可動板を拘束する際に前記レバー部材と係合する係合レバーを設け、
前記可動板は、常態では前記係合レバーの荷重により前記球抜口が閉じる位置に付勢されると共に前記レバー部材が前記係合レバーに係合して前記球抜口を閉じる位置で拘束され、前記レバー部材と前記係合レバーとの係合を外すことにより前記可動板の上面に乗るパチンコ球の重量によって前記係合レバーの付勢に抗して回動し前記球抜口を開放することを特徴とするパチンコ球の払出装置。
【発明の詳細な説明】
【技術分野】
【０００１】
本発明は、景品球タンクのパチンコ球を抜き取る際、供給通路内にパチンコ球が残らないようにしたパチンコ球の払出装置に関するものである。
【背景技術】
【０００２】
従来、この種払出装置として、パチンコ球が連続して供給される供給通路と、駆動モーターにより回転し供給通路のパチンコ球を送り出すリードスクリューと、該リードスクリューの回転により払い出されたパチンコ球が排出される排出通路とから構成されるものが有る。そして、景品球タンクからタンクレール及び該タンクレールの下流端に設けられたカーブレールを介してパチンコ球が供給通路に供給され、入賞球の発生毎にリードスクリューが回転し所定量のパチンコ球をパチンコ機の前側に払い出すようにしている。また、前記タンクレールの底壁には球抜口が開設され、該球抜口に回動して閉じる位置と開放する位置とに変換し得る可動板が設けられている。
【０００３】
ところで、例えば、メーカーから出荷されるパチンコ機は景品球タンクにパチンコ球を入れ試し打ちがなされる。そして、終了後景品球タンクのパチンコ球を球抜口から抜き取るようにしている。また、パチンコホールにあっては、閉店後球磨きをする場合、パチンコ機の電源を切って景品球タンクのパチンコ球を球抜口から抜き取るようにしている。
【発明の開示】
【発明が解決しようとする課題】
【０００４】
このように、カーブレールに球抜口が開設され、該球抜口が払出装置から離れて位置していることから、景品球タンクのパチンコ球を抜き取る際、払出装置内、更に詳しくは、停止するリードスクリューより上方の供給通路内にパチンコ球が残ってしまうという現象が起きていた。
そこで、これらパチンコ球を排出させるため、リードスクリューを指で回転させていたが、指では回転しにくく作業が困難であった。しかも、前記残留するパチンコ球はパチンコ機前面の球受皿に排出されてしまうので、メーカーでは球受皿のパチンコ球をいちいち取り出さねばならず、またパチンコホールでは各台毎に球受皿のパチンコ球を取り出し前面枠を開放して島台内側へ戻さねばならず、余分な手間と時間が掛かるという課題が有った。
これに対して、払出装置の下方に球受皿に連なる排出通路と球抜通路とを並設すると共に切替弁を設け、球抜きするときソレノイドを作動させ切替弁により排出通路を塞ぎ球抜通路を開放した状態でリードスクリューを回転させて球抜きするようにしたものが有る。これによれば切替弁とリードスクリューを電気的に作動させて払出装置内にパチンコ球が残ることなく球抜きできるが、構造が複雑であると共にこれらを制御する電気回路が複雑となり故障が起き易くコストも高くつくという課題が残る。
【０００５】
そこで、本発明は上記課題を解決すべくなされたもので、景品球タンクの球抜きをする際、払出装置内にパチンコ球を残さないようにして、困難な労力や余分な電力を押え、しかも簡素な構造としてコストが掛からないようにしたパチンコ球の払出装置を提供することを目的とするものである。
【課題を解決するための手段】
【０００６】
かかる目的を達成するため、本発明に係るパチンコ球の払出装置は、本体ベースに形成されパチンコ球が連続して供給される供給通路と、電気的駆動手段により回転し前記供給通路のパチンコ球を送り出す送出部材と、該送出部材の回転により払い出されるパチンコ球が排出される排出通路と、を備えたパチンコ球の払出装置において、前記供給通路は垂直通路部と該垂直通路部を流下したパチンコ球を送出部材側へ送る水平通路部とから略Ｌ字型に形成され、送出部材の近傍であって水平通路部の底面と排出通路の一側面とに球抜通路に連なり供給通路内に残留するパチンコ球を総て排出し得る球抜口を設け、前記本体ベースの側壁に、垂直通路部の一側面を塞ぐ上垂直板部と水平通路部の底面を塞ぐ水平板部と排出通路の一側面を塞ぐ下垂直板部とから略Ｌ字型をなすと共に上端部で軸着され自在に回動して球抜口を開閉する可動板と、回動することにより可動板を球抜口を閉じる位置に拘束または解除するレバー部材と、を設け、可動板における上垂直板部の外側に、重錘として可動板を常に球抜口が閉じる位置にくるように付勢しかつ該球抜口が閉じた位置で可動板を拘束する際にレバー部材と係合する係合レバーを設けた構成からなる。このように、送出部材の近傍に供給通路内に残留するパチンコ球を総て排出し得る球抜口を設けたので、球抜きをすべく可動板を解除すれば、球抜口から総てのパチンコ球が抜き取られ払出装置内にパチンコ残ることがなくなる。
【０００７】
この際、前記レバー部材は、水平面内で回動自在に軸支されると共にねじりバネにより係合爪が常に係合レバー側へ回動するように付勢され、常態では、レバー部材の係合爪が係合レバーに上から係合して可動板を球抜口を閉じる位置に拘束し、レバー部材の係合爪と係合レバーとの係合を外して可動板をその上面に乗るパチンコ球の重量により回動させ球抜口を開放しパチンコ球を抜き取るときは、係合爪が係合レバーの側面を押すことにより可動板が球抜口を開放した位置で保持されるようにすることが好ましい。
【発明の効果】
【０００８】
以上説明したように本発明によれば、景品球タンクの球抜き時に、パチンコ球を払出装置の供給通路内に残すことなく全部抜き取ることができるので、従来の如く払出装置内のリードスクリューなどを指で回転させるといった困難な作業を無くすことができ、また、球受皿に排出される払出装置内の残球をいちいち取り出すといった余分な手間や時間が省ける。更に、払出装置に球抜機構を一体に組み込むことにより、払出装置の上下に位置するカーブレールや払出通路などが簡素化され、これにより球抜口に規制されることなく、たとえばカーブレールについては球圧殺しのための蛇行形状が自由に設計できる。また、排出通路については上球受皿から下球受皿のパチンコ球を誘導するオーバーフロー樋のためのスペースが広く確保できる。
【０００９】
可動板をソレノイドなど電気的駆動手段により作動させる払出装置にあっては、前記効果の外に構造が簡単となり組立作業が容易となる。しかも、ソレノイド１個なので電気回路も複雑にならず、故障が起きにくいばかりかコストも安くなるという効果を有する。
【発明を実施するための最良の形態】
【００１０】
以下本発明に係るパチンコ球の払出装置の実施の形態を図面に基づき説明する。図１は本発明が適用されるパチンコ機の裏面図、図２は払出装置が組み付けられた機構板の裏面斜視図、図３はカバーを開いた払出装置の斜視図、図４は可動板を外した払出装置の斜視図である。図において、１はパチンコ機の前面枠、２は遊技盤、３は遊技盤２の裏面全体を覆いかつ開閉自在に装着される合成樹脂製の機構板である。そして、その遊技盤２の裏面と相対する機構板３の前面下部に入賞球を集合する入賞球集合部４が形成されている。また、その出口と連通状に入賞球を一列に整列して流下させる入賞球通路５が形成され、該入賞球通路５の終端に入賞球検出器６と入賞球検出器６で検出された入賞球を１個ずつ排出処理する入賞球処理装置７が設けられている。前記入賞球検出器６からの信号は図示しない払出制御回路に送られて後述するパチンコ球の払出装置１１の動作を制御する。
【００１１】
一方、機構板３の裏面上部にはパチンコ球を貯留する景品球タンク８が設けられ、該景品球タンク８の下方にパチンコ球を整列して流下させるタンクレール９が設けられている。また、タンクレール９の下流端はカーブレール１０を介して払出装置１１に接続されており、該払出装置１１の下方には払い出されたパチンコ球をパチンコ機前側の打球供給皿（図示せず。）に導く排出樋１２が設けられている。これにより景品球タンク８のパチンコ球はタンクレール９及びカーブレール１０により整列されながら払出装置１１に導かれる。１３は排出樋１２に並設される球抜通路である。
【００１２】
次に、図３乃至図６を参照して本発明のパチンコ球の払出装置１１の構成について説明する。払出装置１１は本体ベース１４と駆動モーター１５と送出部材としてのリードスクリュー１６及びカバー１７とによって大略構成されている。本体ベース１４にはカーブレール１０に接続する２条の供給通路１８ａ，１８ｂがそれぞれ形成されている。前記駆動モーター１５はモータ取付フレーム１９を介して本体ベース１４に取り付けられており、これの出力軸１５ａに前記リードスクリュー１６が固着されている。このリードスクリュー１６は供給通路１８ａ，１８ｂの最先端部のパチンコ球を支持して移送する移送部としての突条２０を螺旋状に設けて構成されており、該突条２０は、本実施の形態の場合は、リードスクリュー１６が１回転することによって供給通路１８ａ，１８ｂの最先端部のパチンコ球を排出通路２１ａ，２１ｂに払い出すようにその螺旋形状が選ばれる。また、排出通路２１ａ，２１ｂにはリードスクリュー１６の回転によって払い出されるパチンコ球を検出するパチンコ球検出器２２ａ，２２ｂが設けられている。
【００１３】
前記供給通路１８ａ，１８ｂは図６に示されるように略Ｌ字形に屈曲されその下端側にパチンコ球の方向をリードスクリュー１６に向けて変化させる水平通路部１８１ａ，１８１ｂが形成されており、該水平通路部１８１ａ，１８１ｂによって供給通路１８ａ，１８ｂで連続するパチンコ球の球圧を受け止めるようにしている。また、前記排出通路２１ａ，２１ｂは図５に示されるようにリードスクリュー１６を中心としてその両側がリードスクリュー１６の突条２０の外周縁が臨む開口部２３，２３として形成されている。また、前記カバー１７は本体ベース１４に開閉自在に蝶着されており、図３に示されるようにこれの弾性係止片２４を本体ベース１４の係止部２５に係止させることによって全体をカバーするようにしている。
【００１４】
しかして、本発明によれば、前記水平通路部１８１ａ，１８１ｂの底面と排出通路２１ａ，２１ｂの一側面を切り欠き球抜通路１３に連なる球抜口２６が形成され、該球抜口２６を塞ぐように可動板２７が設けられる。該可動板２７は、供給通路１８ａ，１８ｂ及び排出通路２１ａ，２１ｂに沿う側面略Ｌ型をなし、供給通路１８ａ，１８ｂの垂直通路部１８２ａ，１８２ｂの一側面を塞ぐ上垂直板部２７ａと水平通路部１８１ａ，１８１ｂの底面を塞ぐ水平板部２７ｂと排出通路２１ａ，２１ｂの一側面を塞ぐ下垂直板部２７ｃとからなり、上垂直板部２７ａの上端部が本体ベース１４の側壁１４ａに軸支２８され自在に回動するようになっている。また、上垂直板部２７ａの外側一側縁に後記するレバー部材３２が係合する係合レバー２９が一体に突設されている。該係合レバー２９は重錘の役目を果し、可動板２７が常に球抜口２６を閉じる位置にくるよう付勢している。
【００１５】
前記本体ベース１４の側壁１４ａに上下一対の支持板３０ａ，３０ｂが水平に突設され、両支持板３０ａ，３０ｂ間に縦軸３１によつてレバー部材３２が水平面内で回動自在に軸支される。該レバー部材３２は一端部に前面枠１側を向くレバー片部３３が設けられると共に他端部に前記係合レバー２９に上から係合し得る係合爪３４が設けられ、ねじりバネ３５により係合爪３４が常に係合レバー２９側へ回動するように付勢されている。
【００１６】
そこで、可動板２７は、常態では係合レバー２９の荷重により下方へ回動し、レバー部材３２の係合爪３４が係合レバー２９に上から係合して、球抜口２６を閉じる位置に拘束されている。また、景品球タンク８のパチンコ球はカーブレール１０を介して払出装置１１の供給通路１８ａ，１８ｂに供給され、その最先端部のパチンコ球がリードスクリュー１６の突条２０に当接して期待されている。この状態で、入賞球検出器６の検出信号が払出装置１１の制御回路に送られると駆動モーター１５が回転しリードスクリュー１６を回転させる。このリードスクリュー１６の回転で供給通路１８ａ，１８ｂに連続状態で待機するパチンコ球が突条２０に支持されつつ下降し、リードスクリュー１６が１回転するとその最先端部のパチンコ球が突条２０の支持から外れて排出樋１２に払い出される。
【００１７】
このように構成したパチンコ機において、景品球タンク８の景品球を抜き取るには、図７に示されるようにパチンコ機の前面枠１の前面からピン３６をピン挿通孔３７に差し込んでレバー部材３２のレバー片部３３を押す。これによって、レバー部材３２が図７鎖線のように後方へ回動し、係合爪３４と係合レバー２９との係合を外す。そこで、可動板２７はフリー状態となり、上面に乗るパチンコ球の重量により支軸２８を支点として図６鎖線のように回動し球抜口２６を開放してパチンコ球を球抜通路１３に排出させる。これに伴い景品球タンク８内に貯留されるパチンコ球がタンクレール９，ガードレール１０及び払出装置１１を介して総て抜き取られることとなる。
【００１８】
この際、ピン３６は一担抜かれるが、レバー部材３２はねじりバネ３５の弾発力により係合爪３４が係合レバー２９の側面を押すように付勢され、払出装置１１内にパチンコ球が無くなった後も可動板２７を図６鎖の位置に保持させている。そこで、再びピン挿通孔３７にピン３６を差し込んでレバー片部３３を押すと、係合爪３４が係合レバー２９から離れ、可動板２７がフリー状態となり図６実線の位置に復帰し、同時に係合爪３４が係合レバー２９に上から係合して可動板２７を球抜口２６を閉じる位置に拘束する。
【００１９】
図８は他の実施の形態に係る払出装置１１Ａを使用した場合を示す。該払出装置１１Ａにあっては送出部材として外周縁に複数の球受凹部３８を設けたスプロケット３９，３９が用いられ、球受凹部３８が垂直な供給通路１８ａＡ，１８ｂＡに臨み垂直面内で回転するようになっている。そして、スプロケット３９，３９の近傍に球抜口２６Ａが開設され、該球抜口２６Ａに可動板２７Ａが設けられる。該可動板２７Ａは上端が支軸２８Ａにより軸支されると共に、支軸２８Ａ部から外方へ上下一対の係合片４０，４０が一体に設けられる。一方、払出装置１１Ａの側壁にソレノイド４１が取着され、そのプランジャ４２先端の係合ピン４３が前記両係合片４０，４０間に介在している。
【００２０】
そこで、球抜きする場合は、ソレノイド４１の励磁によりプランジャ４２を吸引し、可動板２７Ａを図８鎖線のように回動させて球抜口２６Ａを開放する。また、球抜きが終了した後は、ソレノイド４１を消磁してプランジャ４２をコイルスプリング４４の付勢により下方へ突出させ、可動板２７Ａを回動させて球抜口２６Ａを閉じる実線位置に拘束する。このように、ソレノイド４１を使用することにより、構成及びその取付作業が簡単となりコストを低廉にすることもできる。
【００２１】
図９，図１０も他の実施の形態に係る払出装置１１Ｂを使用した場合を示す。該払出装置１１Ｂはタンクレール９途中の上方に二列のスプロケット３９，３９が垂直面内で回転するように設けられ、外周縁の球受凹部３８がタンクレール９内に臨むようになっている。そして、スプロケット３９，３９の近傍でタンクレール９の底面に球抜口２６Ｂが開設され、該球抜口２６Ｂに可動板２７Ｂが設けられる。該可動板２７Ｂは一端が支軸２８Ｂにより軸支され、その外方に可動板２７Ｂを常に球抜口２６Ｂを閉じる位置に付勢する重錘４５が設けられている。一方、機構板３の外側壁にソレノイド４１が取着され、プランジャ４２先端に前記可動板２７Ｂの他端側から外方へ突出する突片４７に下から係合し得るロック片４６が設けられている。ソレノイド４１が消磁しているときは、プランジャ４２がコイルスプリング４４の付勢により突出し、ロック片４６が可動板２７Ｂの他端を支持して、可動板２７Ｂを球抜口２６Ｂを閉じる位置に拘束している。
【００２２】
そこで、球抜きをする場合は、ソレノイド４１を励磁させてプランジャ４２を吸引し、可動板２７Ｂとロック片４６との係合を解く。これにより、可動板２７Ｂはフリー状態となり、図１０鎖線のようにその上面に乗るパチンコ球の重量により下方へ回動して球抜口２６Ｂを開放し、その下方の球抜通路１３に排出する。球抜きが終了すると、重錘４５により可動板２７Ｂが図１０実線位置に戻り、この状態でソレノイド４１を消磁させると、プランジャ４２が突出して、ロック片４６が可動板２７Ｂの他端に係合して可動板２７Ｂを球抜口２６Ｂを閉じる位置に拘束する。
【００２３】
可動板をソレノイドなど電気的駆動手段により作動させる払出装置にあっては、構造が簡単となり組立作業が容易となる。しかも、ソレノイド１個なので電気回路も複雑にならず、故障が起きにくいばかりかコストも安くなるという効果を有する。
なお、本発明は前記以外に、例えば送出部材としてリードスクリューを横向きに配置するタイプの払出装置についても適用できること勿論である。
【図面の簡単な説明】
【００２４】
【図１】本発明が適用されるパチンコ機の裏面図。
【図２】払出装置が組み付けられた機構板の裏面斜視図。
【図３】カバーを開いた払出装置の斜視図。
【図４】可動板を外した払出装置の斜視図。
【図５】カバーを外した払出装置の正面図。
【図６】払出装置を一部断面にして作用を説明する正面図。
【図７】同平面断面図。
【図８】他の実施の形態に係る払出装置を一部断面にして作用を説明する正面図。
【図９】他の実施の形態に係る払出装置を組み付けた機構板の斜視図。
【図１０】同一断面にして作用を説明する正面図。
【符号の説明】
【００２５】
１１                払出装置
１４                本体ベース
１５                駆動モーター（電気的駆動手段）
１６                リードスクリュー（送出部材）
１８ａ，１８ｂ      供給通路
２１ａ，２１ｂ      排出通路
１８１ａ，１８１ｂ  水平通路部
１８２ａ，１８２ｂ  垂直通路部
２６                球抜口
２７                可動板
２９                係合レバー
３２                レバー部材
３４                係合爪
３５                ねじりバネ
【図１】
2008296059.tif 000003
【図２】
2008296059.tif 000004
【図３】
2008296059.tif 000005
【図４】
2008296059.tif 000006
【図５】
2008296059.tif 000007
【図６】
2008296059.tif 000008
【図７】
2008296059.tif 000009
【図８】
2008296059.tif 000010
【図９】
2008296059.tif 000011
【図１０】
2008296059.tif 000012